(57)【要約】【課題】頭部が、首部を介して胴体側に着脱可能で、所定の中心をもって任意の方向に揺動可能に連結する人形の頭部連結構造を提供する。【解決手段】頭部１が、首部２を介して胴体側に着脱可能に連結される連結構造であって、頭部は、首部連結孔１１を備えた中空状に形成され、首部は、頭部側に連結される頭部軸部３と、該頭部軸部と一体に連結され、胴体側に固定される首部本体４とからなり、頭部軸部は、前記首部連結孔を介して頭部内に挿入し、その首部連結孔の開口（丸孔）１２の内縁に当接して頭部と連結するとともに、弾性力によって首部本体方向に前記首部連結孔の開口外縁領域を押し付ける弾性連結機構（当接部材５、弾性部材７）を備え、前記頭部軸部と首部本体は、所定の中心をもって任意の方向に揺動可能な摺動構造（摺動頭部３６、摺動受け部４５）を介して一体に連結されていることを特徴とする人形の頭部連結構造。【選択図】図１
2008264102.tif 000002
【特許請求の範囲】
【請求項１】
頭部が、首部を介して胴体側に着脱可能に連結される連結構造であって、
頭部は、首部連結孔を備えた中空状に形成され、
首部は、
頭部側に連結される頭部軸部と、該頭部軸部と一体に連結され、胴体側に固定される首部本体とからなり、
頭部軸部は、前記首部連結孔を介して頭部内に挿入し、その首部連結孔の開口内縁に当接して頭部と連結するとともに、弾性力によって首部本体方向に前記首部連結孔の開口外縁領域を押し付ける弾性連結機構を備え、
前記頭部軸部と首部本体は、所定の中心をもって任意の方向に揺動可能な摺動構造を介して一体に連結されていることを特徴とする人形の頭部連結構造。
【請求項２】
摺動構造は、
少なくとも摺動範囲の外周面が球面状に形成された摺動頭部と、
該摺動頭部と内周面で摺接し、少なくとも摺動範囲の内周面が球面状に形成された摺動受部とを備えていることを特徴とする請求項１に記載の人形の頭部連結構造。
【請求項３】
頭部軸部は、
頭部内に挿入される上端側に座面部を一体に備え、首部連結孔を介して頭部外方に突出する下端側に摺動頭部を一体に備えてなる軸本体と、
軸本体の頭部内に挿入される領域に配設される弾性連結機構とからなり、
弾性連結機構は、
軸本体を軸方向に移動可能に挿通するとともに、首部連結孔の内周縁に当接可能な当接部材と、
前記軸本体の外周に巻回されるとともに、前記座面部と当接部材の間に組み込まれ、常に前記当接部材を首部連結孔方向へと付勢するコイル状の弾性部材とを含み、
首部本体は、
胴体側に嵌合固定可能な筒部と、
筒部の上端側の内面領域に備えられる摺動受部とを含み、
その摺動受部には、軸本体の摺動頭部の球径よりも小径の開口を備えていることを特徴とする請求項２に記載の人形の頭部連結構造。
【請求項４】
首部連結孔の内周縁と当接する当接部材の端面には、当接部材を位置決めする位置決め構造を備えたことを特徴とする請求項３に記載の人形の頭部連結構造。
【発明の詳細な説明】
【技術分野】
【０００１】
本発明は、人形の頭部連結構造に関する。
なお、本明細書において、人形とは、胴体と脚部と腕部と頭部を備えた人形全般に限らず、脚部や腕部を備えていない、例えば人魚のような人形も含む概念とする。また、いわゆる人形用素体といわれるものであって頭部が接続可能なものをも含む。また、手足、腰などの所要箇所が可動可能に構成されている、いわゆる可動人形や、手足、腰等が動かない人形の全ても対象とされる。前記可動人形には、所要可動箇所に別途関節部を設けているものや、関節部を設けず一体に成形されているものなど公知のもの全てが対象とされる。
また、人形を構成する材質にあっては、硬質であっても軟質であっても良く、本発明の範囲内で設計変更可能である。
【背景技術】
【０００２】
昨今の人形業界において、特にフィギュアと称される人間の身体（裸体）形態を忠実に模写した構成を有する人形が需要者に人気を得ている。
このフィギュアなる人形は、一般に女児等が手に持って遊んだり、単に着せ替えをして遊んだりすることもあるが、昨今フィギュア需要者層も変化し、特に男性女性を問わず成人の需要者も多くなってきている。このような成人の需要者層では、夫々の需要者の趣味に応じて人形のパーツを交換する場合が多い。特に、人形の頭部は、その顔表情や髪型が多種多様であり、好みの顔表情や髪型の頭部を選んで、自分の人形に組み合わせたいと欲する需要者も多い。
【０００３】
そこで本発明者は、このような需要者ニーズに応えるべく、特許文献１に開示の如く、頭部と首部の連結構造を先に提供している。
特許文献１に開示の頭部と首部の連結構造は、人形の胴体を構成する胴部外皮に一体に形成されている首部外皮に嵌め込んで装着される円筒状の首部外皮装着部（首部本体）と、該首部本体の上端にて、弾性部材を介して上下方向に揺動（伸縮）自在に備えられ、人形の頭部外皮に設けられている円形状の連結孔と比して大径の下端円形面を有する略円すい状の頭部外皮嵌着部（係止部）とで構成されている。そして、前記弾性部材は、係止部を常時首部本体の上端方向に引張り作用するコイルスプリングを一例として挙げている。
すなわち、前記頭部外皮の連結孔を押し広げて前記係止部を嵌め入れると、下端円形面が連結孔の内周縁に当接するとともに、弾性部材によって係止部が首部本体の上端方向に頭部を引き寄せ、前記下端円形面と首部本体の上端面とで前記連結孔内外周縁を挟持して首部を頭部（頭部外皮）に連結している。また、この連結孔への係止部の係止状態を解除して頭部と首部の連結を解くものとしている。
これにより、需要者は、顔表情の異なる頭部を好みに応じてその都度付け替えることで、需要者の好みに応じた人形にすることができる。
【０００４】
また、近年、人形に思い思いの頭部を装着し、様々な衣装を着せたカスタムドールと呼ばれるオリジナルの人形を作成して、その人形にポーズをとらせて写真撮影した画像を公開するような遊び方が認知されつつある。
そのような遊び方をする愛好者にとっては、ポージングを施した人形の醸し出す雰囲気が特に重要な要素とされ、より現実の人間に近づいたポージングで深みのある感情を表現して、看者が感情移入をすることができるポージングを望む傾向がある。
【０００５】
この場合、特許文献１に開示されている頭部と首部の連結構造では、頭部は首部に対して水平方向の回転動作しかできず、例えば、顔をうつむかせて憂いを表現したり、顔を見上げさせて甘えを表現したりといった感情を表したポージングをさせることができなかった。
そこで、本発明者は、特許文献２に開示の如く、頭部の一部に矩形状の長孔からなる首部連結孔の開口を設けた頭部構造を提供している。このような構造の頭部を前記連結構造と組み合わせれば、頭部を前後方向に傾けるとともに水平方向にも回転可能であるので、前記感情を表したポージングをさせることができるようになり、需要者の要望に応えることができた。
【特許文献１】特開２００４−２２２９３５号公報（特に図９参照）
【特許文献２】特開２００７−２３０号公報（特に図１及び図２参照）
【発明の開示】
【発明が解決しようとする課題】
【０００６】
ところが、現実の人間の首は所定の中心をもって任意の方向に揺動することが可能であり、これにより、例えば、頭部を横方向に傾けたり、顔を斜め下にうつむかせて近くに視線を落としたりすることができる。
しかし、従来の特許文献２に開示した頭部を組み合わせた場合であっても、頭部を横方向に傾けることができず、顔を斜め下にうつむかせたポージングでは、視線を近くに寄せることができなかった。
例えば、頭部を横方向に傾けたり、顔を斜め下にうつむかせて近くに視線を落としたりするポージングを人形に取らせることができれば、より豊かな感情の表現が可能となる。従って、需要者には、このような現実の人間に近づいた深い感情移入を味わうことが可能なポージングができることに対する、さらに強い要望が生じていた。
本発明は、このような課題を解消するためになされ、その目的とするところは、頭部が、首部を介して胴体側に着脱可能で、所定の中心をもって任意の方向に揺動可能に連結する人形の頭部連結構造を提供することである。
【課題を解決するための手段】
【０００７】
上記目的を達成するために本発明がなした技術的手段は、頭部が、首部を介して胴体側に着脱可能に連結される連結構造であって、頭部は、首部連結孔を備えた中空状に形成され、首部は、頭部側に連結される頭部軸部と、該頭部軸部と一体に連結され、胴体側に固定される首部本体とからなり、頭部軸部は、前記首部連結孔を介して頭部内に挿入し、その首部連結孔の開口内縁に当接して頭部と連結するとともに、弾性力によって首部本体方向に前記首部連結孔の開口外縁領域を押し付ける弾性連結機構を備え、前記頭部軸部と首部本体は、所定の中心をもって任意の方向に揺動可能な摺動構造を介して一体に連結されていることを特徴とする人形の頭部連結構造としたことである。
【０００８】
その摺動構造は、少なくとも摺動範囲の外周面が球面状に形成された摺動頭部と、該摺動頭部と内周面で摺接し、少なくとも摺動範囲の内周面が球面状に形成された摺動受部とを備えている場合もある。その場合、頭部軸部は、頭部内に挿入される上端側に座面部を一体に備え、首部連結孔を介して頭部外方に突出する下端側に摺動頭部を一体に備えてなる軸本体と、軸本体の頭部内に挿入される領域に配設される弾性連結機構とからなり、弾性連結機構は、軸本体を軸方向に移動可能に挿通するとともに、首部連結孔の内周縁に当接可能な当接部材と、前記軸本体の外周に巻回されるとともに、前記座面部と当接部材の間に組み込まれ、常に前記当接部材を首部連結孔方向へと付勢するコイル状の弾性部材とを含み、首部本体は、胴体側に嵌合固定可能な筒部と、筒部の上端側の内面領域に備えられる摺動受部とを含み、その摺動受部には、軸本体の摺動頭部の球径よりも小径の開口を備えていても良い。
また、首部連結孔の内周縁と当接する当接部材の端面には、当接部材を位置決めする位置決め構造を備えていても良い。
【発明の効果】
【０００９】
本発明によれば、頭部が、首部を介して胴体側に着脱可能で、所定の中心をもって任意の方向に揺動可能に連結する人形の頭部連結構造を提供することができる。
【発明を実施するための最良の形態】
【００１０】
以下、本発明を実施するための最良の一実施形態について説明する。なお、本実施形態は、本発明の一実施形態にすぎず、本発明の範囲内で設計変更可能である。
なお、図示する本実施形態では、フィギュアと称される人間を模写した人形用の頭部を一実施形態として挙げるが、本発明は何等これに限定解釈されるものではなく、熊や鳥などの動物を模写した人形の頭部、漫画キャラクタなどを立体化した人形の頭部など、一般に人形と称されるものの頭部の全てを対象とする。また、いわゆるソフトビニル樹脂製の人形の首部骨格を本実施形態では首部として説明するが、人形全体が硬質材からなるものにあっては、該人形の首部そのものが首部として称される。
【実施例１】
【００１１】
図１及び図２において、符号１は、本実施例における人形用の頭部の概略断面を示し、例えば首部２よりも下方の図示しない胴体部，腕部，脚部に骨格を備えたソフトビニル製人形の軟質製の頭部として用いられる。
【００１２】
頭部１は、本実施例では、例えば軟質合成樹脂材（ソフトビニル樹脂）をもって、例えば回転成形，スラッシュ成形などで人間の頭部を模写した外観形態を有するとともに内部中空に形成されている。また、頭部１の少なくとも頭部所定領域に植毛を施すこともある。
なお、図中符号１１は、当該頭部１と首部２を連結する際の首部連結孔である。
【００１３】
首部連結孔１１は、頭部１の首部連結部位の所定領域に、頭部１の内外面を貫通して設けられている丸孔１２と、その丸孔１２の周辺の構造からなる。この丸孔１２は、後述する当接部材５よりも小径に形成されているものであればよく、特に図示形状に限定解釈されない。
また、丸孔１２の周辺の構造は、丸孔１２の外周縁は頭部内方（図中上方）に向けて傾斜して形成された擂鉢状の傾斜面１３と、丸孔１２の上縁１２ａから頭部内方（図中上方）に向けて延出した、後述する当接部材５より僅かに大径の内径空間を有する縁部１４と、丸孔１２の上縁１２ａと縁部１４とで円環状に形成された段部１５とで構成されている。なお、前記縁部１４は、当接部材５の位置決め構造となっている。
また、頭部１に形成される顔表情や図示しない耳形状、眼球部分等にあっては任意であって限定はされない。
【００１４】
首部２は、図１〜図９に示すように、頭部１に連結される頭部軸部３と、胴体（図示せず）に固定される首部本体４とで構成されている。また、頭部軸部３と首部本体４とは、所定の中心をもって任意の方向に揺動可能な摺動構造で連結されている。
【００１５】
頭部軸部３は、軸本体３１と弾性連結構造で構成されている。
軸本体３１は、図３に示すように、所定長さの棒状に形成された棒状部材３２と、該棒状部材３２の上端３２ａ側に備えられる座面部３４と、棒状部材３２の下端３２ｂ側に備えられる摺動頭部３６と、座面部３４と摺動頭部３６との間に配設される弾性連結機構とからなる。
座面部３４は、例えば本実施例では合成樹脂材からなり、前記頭部１の首部連結孔１１の丸孔１２に挿入可能な径を有する円板形状に形成され、その一端面（上面）側には先細りのテーパ状部３４ａを一体に有している。
棒状部材３２は、その長さ方向略中間部分から下端３２ｂにかけて、横断面形状で小判型に形成されている。具体的には、平行する平面３２ｃおよび平面３２ｄの一対の対向する長辺間を、それぞれ、円弧面で連続して接続した形状に形成されている。
棒状部材３２の下端３２ｂには、座面部３４に向けて、ネジ孔３５が設けられている。なお、軸本体３１の長さは、前記座面部３４を備える上端３２ａ側が首部連結孔１１から頭部１の内部に挿入されて連結可能な長さに形成されれば良い。従って、ここでは特に軸本体３１の長さは限定しない。
【００１６】
また、棒状部材３２の軸本体３１の下端３２ｂには、摺動頭部３６が備えられている。
摺動頭部３６は、上端３８ａ及び下端３８ｂに、それぞれ平行する平面が形成されるとともに、その上端３８ａと下端３８ｂを結ぶ外周面３８が球面状に形成され、所謂ビーズ形状をしている。
上端３８ａには、下端３８ｂ方向に接合孔３７ａが設けられ、下端３８ｂにネジ収容孔３７ｂが設けられている。
前記接合孔３７ａは、前記棒状部材３２の小判型の横断面形状よりも僅かに大きな相似形状に形成されている。これにより、該接合孔３７ａに棒状部材３２の下端３２ｂ側が接合された場合に、接合孔３７ａの一対の平面と棒状部材３２の一対の平面が嵌合して、棒状部材３２に対して摺動頭部３６が周方向に回転することを防止する。
【００１７】
さらに、接合孔３７ａとネジ収容孔３７ｂの底面同士が、連通孔３７ｃで結ばれるとともに、前記接合孔３７ａと連通孔３７ｃとネジ収容孔３７ｂの各軸心は摺動頭部３７の軸心を共有するように形成されている。
前記接合孔３７ａには軸本体３１の下端３２ｂが差し込まれるとともに、ネジ収容孔３７ｂにはネジＳが差し込まれ、ネジＳは、連通孔３７ｃを介して、軸本体３１のネジ孔３５にネジ結合される。これにより、頭部軸部３と摺動頭部３６が一体となって固定される。
【００１８】
弾性連結機構は、図４及び図５に示すように、軸本体を軸方向に移動可能に挿通するとともに、首部連結孔の内周縁に当接可能な当接部材５と、前記座面部３４と当接部材５の間に組み込まれ、常に前記当接部材５を首部連結孔１１の方向へと付勢する弾性部材７とで構成されている。
【００１９】
当接部材５は、上端５１ａの開口５２ａと下端５１ｂの開口５２ｂを連通する貫通孔を備えるとともに、外径を頭部１の首部連結孔１１の丸孔１２の孔径よりも大径に形成された略円筒形状となっている。
上端５１ａの開口５２ａは、所定の深さに掘り込まれて弾性部材収容孔５５ａを形成している。
【００２０】
下端５１ｂの開口５２ｂは、前記軸本体３１の棒状部材３２の小判型に形成された横断面形状よりもよりも僅かに大きな相似形状に形成されるとともに、前記弾性部材収容孔５５ａの底面５３ｃまで貫通して掘り込まれて中心孔５５ｂを形成している。この場合、開口５２ａは開口５２ｂよりも大きく形成されている。
当接部材５の外周面５６の上端５１ａ側は、小径に絞り込まれたテーパ形状５６ａを構成している。
また、当接部材５は、前記開口５２ａ（弾性部材収容孔５５ａ）及び開口５２ｂ（中心孔５５ｂ）に軸本体３１の棒状部材３２を挿通することにより、軸本体３１の座面部３４と摺動頭部３６との間に、当接部材５の上端５１ａ側が座面部３４方向に向くように組み込まれる。
このとき、前記開口５２ｂ（中心孔５５ｂ）に棒状部材３２が相通されると、開口５２ｂ（中心孔５５ｂ）の一対の平面と棒状部材３２の一対の平面が嵌合して、棒状部材３２に対して当接部材５が周方向に回転することを防止する。
【００２１】
さらに、下端５１ｂの面には、所定の間隔で平行して形成された溝５３ａ，５３ｂを備えている。従って、下端５１ｂの縁部は、溝５３ａ，５３ｂの外側に形成される縁５４ａ，５４ｂと、溝５３ａ，５３ｂ間に形成される縁５４ｃ，５４ｄとに分けて形成されている。
当接部材の外径は、頭部１の首部連結孔１１の丸孔１２の孔径よりも大径に形成されているので、前記縁５４ａ，５４ｂ，５４ｃ，５４ｄは、首部２の首部連結孔１１の内周縁に当接することができる。
【００２２】
弾性部材７は、本実施例では、一例としてコイルスプリング７が採用されている。具体的には、コイルスプリング７は、棒状部材３２の外周に巻回されるとともに、前記当接部材５の上端５１ａの開口５２ａの径よりも小径に形成されている。
コイルスプリング７の上端７ａは座面部３４に当接するとともに、コイルスプリング７の下端７ｂ側が前記当接部材５の開口５２ａに収容されることにより、前記座面部３４と当接部材５の間に組み込まれている。これにより、コイルスプリング７の上端７ａが座面部３４に支えられることにより、下端７ｂが当接部材５を首部連結孔１１の方向へと常に付勢する構造となっている。
【００２３】
なお、本実施例では、コイルスプリング７を前記座面部３４と当接部材５の間に組み込むことによって、当接部材５を首部連結孔１１の方向へと常に付勢する構造としたが、これに限定されず、例えば、弾性部材７の上端７ａを棒状部材３２の上端３２ａに直接固定しても良い。このような構成では、軸本体３１は座面部３４を備えなくても良い。
また、弾性部材７は、当接部材５を首部連結孔１１の方向へと常に付勢する可能であれば、コイルスプリングでなくともよい。一例としてゴム状体などが挙げられる。
【００２４】
首部本体４は、例えば本実施例では硬質合成樹脂材で、図６に示すように、図示しない胴体側に嵌合固定可能で、かつ、摺動頭部３６よりも球径よりも大径の内径を有する筒部４３と、該筒部４３の上端４ａ側に配された摺動受け部４２を備えている。
摺動受け部４２は、筒部４３の内周面が、開口４１に向けて開口の中心方向に徐々に小径となるように絞り込んで湾曲して備えられ、その湾曲した内周面が摺動受け部４２を構成している。これにより、首部本体４の上端４ａは、摺動頭部３６の球径よりも小径の開口４１が形成される。
さらに、筒部４３の外周面の上端４ａ側には、鍔４６が備えられている。
鍔４６は、水平方向に突出するとともに円周方向に連続する鍔面４６ａと、鍔面４６ａから上端４ａの開口４１に向けて、開口４１の中心方向に徐々に小径となるように湾曲する、昇り傾斜状のテーパ形状４６ｂで構成されている。
前記鍔面４６ａは、図示しないソフトビニル樹脂製の胴体部から一体に延設される円筒状の首部外皮内に当該首部本体４を嵌め込んだ際、その鍔面４６ａに首部外皮の端縁が当接する。
【００２５】
また、図中４７は、首部本体４の外周所定領域に複数本設けられている脱落防止部で、本実施例では、円周方向に連続した突条を、首部本体４の軸方向に所定間隔をあけて複数突設されている。この脱落防止部４７は、図示しないソフトビニル樹脂製の胴体部から一体に延設される円筒状の首部外皮内に、首部２を嵌め込んだ際の脱落防止を図るための構造である。よって、本実施例の構造になんら限定されるものではなく、首部２の脱落を防止し得る構造であれば本発明の範囲内である。なお、この脱落防止部４７を備えない形態も本発明の範囲内である。なお、本実施例では、首部本体４を円筒状に形成しているが、特に限定されず、角筒状など本発明の範囲内で設計変更可能である。
【００２６】
摺動構造は、前記頭部軸部３の摺動頭部３６と、前記首部本体４の摺動受け部４５とで構成されている。この場合、摺動頭部３６の球面状に形成された外周面３８と、摺動受け部４５とが摺接して連結される。これにより、頭部軸部３は、摺動頭部３６の中心を揺動中心にして、首部本体４に対して任意の方向に揺動可能となる。
なお、摺動頭部３６の球面状に形成された外周面３８と、摺動受け部４５は、少なくともそれぞれの摺動範囲が球面状に形成されれば良い。
また、摺動構造は、摺動頭部３６と、胴体に固定される首部本体４とが、所定の中心をもって任意の方向に揺動可能に連結されれば、他の構成であっても良い。
例えば、首部本体４に摺動頭部３６を備えるとともに、頭部軸部３に該摺動頭部３６と摺接可能な摺動受け部４５を備えても良い。
【００２７】
なお、上記構成部品からなる首部２を組み立てる場合には、コイルスプリング（弾性部材７）の下端７ｂ側を当接部材５の弾性部材収容孔５５ａに収容するともに、コイルスプリング７と当接部材５を頭部軸部３の棒状部材３２の下端３２ｂから嵌め込む。
次に、首部本体４の上端４ａの開口４１からは、頭部軸部３の棒状部材３２の下端３２ｂを挿入するとともに、首部本体４の筒部４３の下端から摺動頭部３６を挿入し、棒状部材３２の下端３２ｂを摺動頭部３６の上端３８ａの接合孔３７ａに嵌合させる。
さらに、首部本体４の筒部４３の下端からから棒状部材３２のネジ収容孔３７ｂにネジＳを挿入し、連通孔３７ｃを介して軸本体３１のネジ孔３５とネジ結合させることにより、首部２の組み立て品を完成させる（図７参照）。
【００２８】
ここで、本実施例の頭部連結構造による頭部１と首部２の連結作動と連結解除作動について図８、図９及び図１に基づいて説明する。
【００２９】
まず、頭部１と首部２とを連結する作動について説明する。
首部２を頭部軸部３側から頭部１の首部連結孔１１の丸孔１２に差し込む（図８）。このとき、頭部１の首部連結孔１１を温風等で温めておくことにより、首部連結孔１１周辺の材質が柔らかくなるので、差し込み易くなる。
このとき、丸孔１２の孔径は、当接部材５の外径よりも小径に形成されているので、当接部材５のテーパ面５４ａが丸孔１２を頭部内方（図中上方）に押し付けられつつ、頭部内方へと侵入し、その侵入に従って丸孔１２を押し広げる。これにより、頭部軸部３と当接部材５が頭部内へ侵入することができる。
頭部軸部３と当接部材５を頭部内部へと侵入しつづけると、当接部材５の下端５１ｂの縁部５４ａ，５４ｂ，５４ｃ，５４ｄに丸孔１２の段部１５が引っ掛かる（図９）。
【００３０】
次に、首部２を頭部外方（図中下方）に僅かに引っ張ると、図１に示すように、段部１５に引っ掛かった当接部材５の下端５１ｂの縁部５４ａ，５４ｂ，５４ｃ，５４ｄが当接部材５を押し上げて、当接部材５の下端５１ｂと首部本体４の上端４ａとの間に隙間が生じるとともに、該隙間に押し広げられていた丸孔１２が嵌まり込む。
このとき、当接部材５は、当接部材５は、縁部１４によって収まりよく位置決めされるとともに、コイルスプリング７の付勢力によって首部連結孔１１方向（図中下向き）に押し付けられているので、段部１５と縁部５４ａ，５４ｂ，５４ｃ，５４ｄが密着する。
【００３１】
また、頭部１の首部連結孔１１の外面側では、外周縁に形成されている擂鉢状の傾斜面１３が首部本体４の昇り傾斜状のテーパ４６ａに当接している。このとき、コイルスプリング７の付勢力によって首部連結孔１１方向へと押し付けられている当接部材５を介して、前記擂鉢状の傾斜面１３が首部本体４のテーパ形状４６ｂに押し付けられて密着する。これにより、首部２と頭部１が一体に連結される。
なお、頭部１と首部２の連結を解除させる場合には、首部２を頭部外方（図中下方）に向けて強く引き抜けば良い。このとき、頭部１の首部連結孔１１を温風等で温めておくことにより、首部連結孔１１周辺の材質が柔らかくなるので、引き抜き易くなる。
【００３２】
本実施例による頭部連結構造は、上述の如く、首部２に対する頭部１の脱着が容易になっただけでなく、頭部軸部３と首部本体４とを連結している摺動構造によって、従来の頭部連結構造による動作に加えて、従来の頭部連結構造では不可能であった動作が可能となっている。以下に、本実施例によって可能となった動作について説明する。
摺接構造は、頭部軸部３の球面状に形成された外周面３８が、弾性部材７の弾性力によって、常に首部本体４の摺動受け部４５に押し付けられて摺接しているので、適度な摩擦を保持しつつ、頭部軸部３を、首部本体４に対して、棒状部材３２が開口４１に当接しない範囲で、全方向に任意に揺動させることが可能となる（図１０参照）。
【００３３】
この場合、その揺動中心は、頭部軸部３の中心となる。もちろん、従来のように、頭部軸部３は、首部本体４に対して、水平方向に回転させることも可能である。このような動作を組み合わせることによって、首部本体４に対して頭部１を横方向に傾ける動作（頭部の両耳間断面、図１１参照）をさせたり、顔を斜め下にうつむかせて近くに視線を落とす動作（図１２参照）をさせたりすることができる。これにより、豊かな感情を表現したポージングが可能となる。
また、頭部１と首部２を連結させた場合には、揺動中心となる頭部軸部３が頭部１の直下に配されるので、実際の人間ように、頭部の付け根で頭部が揺動する状態が再現され、より現実の人間に近づいた深い感情移入を味わうことが可能なポージングができるようになった。
【００３４】
このとき、棒状部材３２は、当接部材５に空回りしないように挿通されるとともに、棒状部材３２の下端３２ｂには、摺動頭部３６が空回りしないように接続されているので、棒状部材３２と当接部材５と摺動頭部３６は、相互に周方向の回転が抑止されている。従って、頭部１は、摺動構造によってのみ回転する。
これにより、頭部１は、摺動頭部３６と摺動受け部４５の適度な摩擦によって意図しない回転が抑止されて、ポージング時の頭部１の向きがしっかりと保持される。また、上記構成により、摺動頭部３６が棒状部材３２に対して空回りしないので、摺動頭部３６と棒状部材３２を固定するネジＳが緩むことも防止される。
【００３５】
なお、上述した本実施例では、棒状部材３２と、摺動頭部３６の接合孔３７ａと、当接部材５の開口５２ｂ（中心孔５５ｂ）を小判型に形成して、その小判型の面同士が嵌合することによって、上記各部材が互いに空回りすることを防止しているが、空回りが防止可能であれば、それぞれ、小判型に限らず、他の形状に形成しても良い。たとえば、横断面形状で星型や、Ｄ型であっても良い。あるいは、頭部１の回転をあまり抑制する必要がない場合には、上記から空回りを防止する構成を備えなくても良い。
「変形例１」
【００３６】
上述した本実施例では、頭部軸部３に当接部材５を配して、該当接部材５の下端５１ｂの縁５４ａ，５４ｂ，５４ｃ，５４ｄが、丸孔１２の段部１５と当接する構成を説明したが、頭部軸部３に当接部材５を配さない場合であっても本実施例と同様の効果を得ることができる。
この場合には、図１３に示すように、弾性部材７を丸孔１２の段部１５と当接することが可能に大径に形成するとともに、それとともに、座面部３４の径も大径となった弾性部材７を固定可能な大径に形成すれば良い。
「変形例２」
【００３７】
なお、本実施例では、頭部１の首部連結孔１１に丸孔１２を設け、その丸孔１２に首部２を連結した場合を説明したが、首部２は他の構成による頭部１と連結しても良い。例えば、本発明者が特許文献２で提供しているような、前後方向に長い、矩形状の長孔６２からなる首部連結孔７１を設けた頭部６と連結しても良い（図１３〜図１５参照）。
頭部６の首部連結孔７１は、該矩形状の長孔６１の周縁６４が頭部内部方向（図１５中矢印方向）に盛り上がって形成されるとともに、首部連結孔７１の外周縁は頭部内方に向けて傾斜した、擂鉢状の傾斜面７３を形成している。
頭部６と首部２とを連結する場合には、当接部材５の下端５１ｂに平行して形成された溝５３ａ，５３ｂを頭部６の長孔６１の周縁６４に嵌合させることにより、頭部６と首部２がしっかりと連結する。
【００３８】
なお、この場合には、上述した本実施例の効果に加えて、首部２は、長孔６１に沿って頭部６の前後方向に移動可能であるので、頭部軸部３を首部本体４に対して前後方向に揺動する動作と組み合わせることによって、頭部６をより深い角度で前後方向に揺動させることが可能となる。これにより、人形に空を見上げるポージングをさせたり、足元を見つめるポージングをさせたりする、従来では不可能であったポージングをさせることが可能となる。
【図面の簡単な説明】
【００３９】
【図１】本発明首部の連結構造の一使用形態を示す概略断面図で、首部を頭部に連結した状態を示す。
【図２】頭部の下側構造を示す下面図である。
【図３】（ａ）は軸本体の側面図、（ｂ）は摺動頭部の断面図、（ｃ）は軸本体を示す断面図である。
【図４】（ａ）は当接部材を斜め上方から見た斜視図、（ｂ）は当接部材を斜め加法から見た斜視図、（ｃ）は当接部材の断面図である。
【図５】組み立てた頭部軸部の断面図である。
【図６】（ａ）は首部本体の側面図、（ｂ）は首部本体の断面図である。
【図７】組み立てた首部の断面図である。
【図８】頭部に首部を差し込む状態を示す概略断面図である。
【図９】頭部に首部を差し込んでいる状態を示す概略断面図である。
【図１０】首部本体に対する頭部軸部の揺動範囲を示す説明斜視図である。
【図１１】頭部を横方向に傾けた状態を示す概略断面図である。
【図１２】顔を斜め下にうつむかせて近くに視線を落とす状態を示す斜視図である。
【図１３】当接部材を配さない第１変形例を示す頭部の概略断面図である。
【図１４】本発明の第２変形例を示す概略断面図である。
【図１５】第２変形例による頭部の下側構造を示す下面図である。
【図１６】第２変形例による頭部の長孔の周縁と当接部材の溝部との嵌合構造を示す概略斜視図である。
【符号の説明】
【００４０】
１  頭部
２  首部
３  頭部軸部
４  首部本体
５  当接部材
７  弾性部材
１１  首部連結孔
１２  丸孔
３１  軸本体
３２  棒状部材
３６  摺動頭部
４５  摺動受け部
【図１】
2008264102.tif 000003
【図２】
2008264102.tif 000004
【図３】
2008264102.tif 000005
【図４】
2008264102.tif 000006
【図５】
2008264102.tif 000007
【図６】
2008264102.tif 000008
【図７】
2008264102.tif 000009
【図８】
2008264102.tif 000010
【図９】
2008264102.tif 000011
【図１０】
2008264102.tif 000012
【図１１】
2008264102.tif 000013
【図１２】
2008264102.tif 000014
【図１３】
2008264102.tif 000015
【図１４】
2008264102.tif 000016
【図１５】
2008264102.tif 000017
【図１６】
2008264102.tif 000018